(57)【要約】【課題】複雑なセル設計を行うことなく参照信号系列を割り当てた場合であっても、セル間の干渉を低減する。【解決手段】本発明に係る移動通信システムにおいて、参照信号系列は、ホッピングパターン及び系列シフトパターンに基づいて所定チャネルにおけるスロット単位で割り当てられている複数の信号系列によって構成されており、所定物理チャネル又は所定物理信号におけるスロット番号及びＳＦＮ番号に基づいて、ホッピングパターンを決定するように構成されており、物理所定チャネル又は所定物理信号が設定されているセルの識別情報に基づいて、系列シフトパターンを決定するように構成されており、スロット番号の周期及びＳＦＮ番号の周期に基づいて、ホッピング周期を決定するように構成されている。【選択図】図５
2010171467.tif 000002
【特許請求の範囲】
【請求項１】
上りリンクの所定物理チャネル又は所定物理信号の少なくとも１つに対して、ホッピング周期で繰り返し用いられる参照信号系列を割り当てるように構成されている移動通信システムであって、
前記参照信号系列は、ホッピングパターン及び系列シフトパターンに基づいて前記所定物理チャネルにおけるスロット単位で割り当てられている複数の信号系列によって構成されており、
前記所定物理チャネル又は前記所定物理信号におけるスロット番号、ＳＦＮ番号、及び、該所定物理チャネル又は該所定物理信号が設定されているセルの識別情報に基づいて、前記ホッピングパターンを決定するように構成されており、
前記物理所定チャネル又は前記所定物理信号が設定されているセルの識別情報に基づいて、前記系列シフトパターンを決定するように構成されており、
前記スロット番号の周期及び前記ＳＦＮ番号の周期に基づいて、前記ホッピング周期を決定するように構成されていることを特徴とする移動通信システム。
【請求項２】
前記所定物理チャネルは、物理上りリンク制御チャネルであり、
前記所定物理信号は、復調用参照信号又はサウンディング参照信号であることを特徴とする請求項１に記載の移動通信システム。
【請求項３】
【数Ａ】
2010171467.tif 000012
によって、前記スロット単位で割り当てられる前記信号系列の系列番号ｕを決定するように構成されていることを特徴とする請求項１に記載の移動通信システム。
【請求項４】
【数Ｂ】
2010171467.tif 000013
によって、前記スロット単位で割り当てられる前記信号系列の系列番号ｕを決定するように構成されていることを特徴とする請求項１に記載の移動通信システム。
【請求項５】
【数Ｃ】
2010171467.tif 000014
によって、前記スロット単位で割り当てられる前記信号系列の系列番号ｕを決定するように構成されていることを特徴とする請求項１に記載の移動通信システム。
【請求項６】
上りリンクの所定物理チャネル又は所定物理信号の少なくとも１つに対して、ホッピング周期で繰り返し用いられる参照信号系列を割り当てるように構成されている参照信号系列割当部と、
前記所定物理チャネル又は前記所定物理信号におけるスロット番号、ＳＦＮ番号、及び、該所定物理チャネル又は該所定物理信号が設定されているセルの識別情報に基づいて、ホッピングパターンを決定するように構成されているホッピングパターン決定部と、
前記物理所定チャネル又は前記所定物理信号が設定されているセルの識別情報に基づいて、系列シフトパターンを決定するように構成されている系列シフトパターン決定部と、
前記スロット番号の周期及び前記ＳＦＮ番号の周期に基づいて、前記ホッピング周期を決定するように構成されているホッピング周期決定部とを具備し、
前記参照信号系列割当部は、前記ホッピングパターン及び前記系列シフトパターンに基づいて前記所定物理チャネルにおけるスロット単位で割り当てられている複数の信号系列によって前記参照信号系列を生成するように構成されていることを特徴とする無線基地局。
【請求項７】
前記所定物理チャネルは、物理上りリンク制御チャネルであり、
前記所定物理信号は、復調用参照信号又はサウンディング参照信号であることを特徴とする請求項６に記載の無線基地局。
【請求項８】
前記参照信号系列割当部は、
【数Ｄ】
2010171467.tif 000015
によって、前記スロット単位で割り当てられる前記信号系列の系列番号ｕを決定するように構成されていることを特徴とする請求項６に記載の無線基地局。
【請求項９】
前記参照信号系列割当部は、
【数Ｅ】
2010171467.tif 000016
によって、前記スロット単位で割り当てられる前記信号系列の系列番号ｕを決定するように構成されていることを特徴とする請求項６に記載の無線基地局。
【請求項１０】
前記参照信号系列割当部は、
【数Ｆ】
2010171467.tif 000017
によって、前記スロット単位で割り当てられる前記信号系列の系列番号ｕを決定するように構成されていることを特徴とする請求項６に記載の無線基地局。
【請求項１１】
上りリンクの所定物理チャネル又は所定物理信号の少なくとも１つに対して、ホッピング周期で繰り返し用いられる参照信号系列を割り当てるように構成されている参照信号系列割当部と、
前記所定物理チャネル又は前記所定物理信号におけるスロット番号、ＳＦＮ番号、及び、該所定物理チャネル又は該所定物理信号が設定されているセルの識別情報に基づいて、ホッピングパターンを決定するように構成されているホッピングパターン決定部と、
前記物理所定チャネル又は前記所定物理信号が設定されているセルの識別情報に基づいて、系列シフトパターンを決定するように構成されている系列シフトパターン決定部と、
前記スロット番号の周期及び前記ＳＦＮ番号の周期に基づいて、前記ホッピング周期を決定するように構成されているホッピング周期決定部とを具備し、
前記参照信号系列割当部は、前記ホッピングパターン及び前記系列シフトパターンに基づいて前記所定物理チャネルにおけるスロット単位で割り当てられている複数の信号系列によって前記参照信号系列を生成するように構成されていることを特徴とする移動局。
【請求項１２】
前記所定物理チャネルは、物理上りリンク制御チャネルであり、
前記所定物理信号は、復調用参照信号又はサウンディング参照信号であることを特徴とする請求項１１に記載の移動局。
【請求項１３】
前記参照信号系列割当部は、
【数Ｇ】
2010171467.tif 000018
によって、前記スロット単位で割り当てられる前記信号系列の系列番号ｕを決定するように構成されていることを特徴とする請求項１１に記載の移動局。
【請求項１４】
前記参照信号系列割当部は、
【数Ｈ】
2010171467.tif 000019
によって、前記スロット単位で割り当てられる前記信号系列の系列番号ｕを決定するように構成されていることを特徴とする請求項１１に記載の移動局。
【請求項１５】
前記参照信号系列割当部は、
【数Ｉ】
2010171467.tif 000020
によって、前記スロット単位で割り当てられる前記信号系列の系列番号ｕを決定するように構成されていることを特徴とする請求項１１に記載の移動局。
【発明の詳細な説明】
【技術分野】
【０００１】
本発明は、上りリンクの所定物理チャネル又は所定物理信号の少なくとも１つに対して、ホッピング周期で繰り返し用いられる参照信号系列を割り当てるように構成されている移動通信システム、無線基地局及び移動局に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、上りリンクの所定物理チャネル又は所定物理信号に対して、自己相関特性の高いＣＡＺＡＣ系列からなる参照信号系列を割り当てるように構成されている。
【先行技術文献】
【非特許文献】
【０００３】
【非特許文献１】３ＧＰＰ  ＴＳ３６.２１１
【発明の概要】
【発明が解決しようとする課題】
【０００４】
ここで、セル間の干渉を低減するために、セル間で異なる参照信号系列を割り当てることが望ましい。
【０００５】
しかしながら、ＬＴＥ方式の移動通信システムでは、セルＩＤが、５０４個定義されているのに対して、参照信号系列は、３０個しか定義されていないため、セル間の干渉を低減するためには、複雑なセル設計を行う必要があるという問題点があった。
【０００６】
そこで、本発明は、上述の課題に鑑みてなされたものであり、複雑なセル設計を行うことなく参照信号系列を割り当てた場合であっても、セル間の干渉を低減することができる移動通信システム、無線基地局及び移動局を提供することを目的とする。
【課題を解決するための手段】
【０００７】
本発明の第１の特徴は、上りリンクの所定物理チャネル又は所定物理信号の少なくとも１つに対して、ホッピング周期で繰り返し用いられる参照信号系列を割り当てるように構成されている移動通信システムであって、前記参照信号系列は、ホッピングパターン及び系列シフトパターンに基づいて前記所定物理チャネルにおけるスロット単位で割り当てられている複数の信号系列によって構成されており、前記所定物理チャネル又は前記所定物理信号におけるスロット番号、ＳＦＮ番号、及び、該所定物理チャネル又は該所定物理信号が設定されているセルの識別情報に基づいて、前記ホッピングパターンを決定するように構成されており、前記物理所定チャネル又は前記所定物理信号が設定されているセルの識別情報に基づいて、前記系列シフトパターンを決定するように構成されており、前記スロット番号の周期及び前記ＳＦＮ番号の周期に基づいて、前記ホッピング周期を決定するように構成されていることを要旨とする。
【０００８】
本発明の第２の特徴は、無線基地局であって、上りリンクの所定物理チャネル又は所定物理信号の少なくとも１つに対して、ホッピング周期で繰り返し用いられる参照信号系列を割り当てるように構成されている参照信号系列割当部と、前記所定物理チャネル又は前記所定物理信号におけるスロット番号、ＳＦＮ番号、及び、該所定物理チャネル又は該所定物理信号が設定されているセルの識別情報に基づいて、ホッピングパターンを決定するように構成されているホッピングパターン決定部と、前記物理所定チャネル又は前記所定物理信号が設定されているセルの識別情報に基づいて、系列シフトパターンを決定するように構成されている系列シフトパターン決定部と、前記スロット番号の周期及び前記ＳＦＮ番号の周期に基づいて、前記ホッピング周期を決定するように構成されているホッピング周期決定部とを具備し、前記参照信号系列割当部は、前記ホッピングパターン及び前記系列シフトパターンに基づいて前記所定物理チャネルにおけるスロット単位で割り当てられている複数の信号系列によって参照信号系列を生成するように構成されていることを要旨とする。
【０００９】
本発明の第３の特徴は、移動局であって、上りリンクの所定物理チャネル又は所定物理信号の少なくとも１つに対して、ホッピング周期で繰り返し用いられる参照信号系列を割り当てるように構成されている参照信号系列割当部と、前記所定物理チャネル又は前記所定物理信号におけるスロット番号、ＳＦＮ番号、及び、該所定物理チャネル又は該所定物理信号が設定されているセルの識別情報に基づいて、ホッピングパターンを決定するように構成されているホッピングパターン決定部と、前記物理所定チャネル又は前記所定物理信号が設定されているセルの識別情報に基づいて、系列シフトパターンを決定するように構成されている系列シフトパターン決定部と、前記スロット番号の周期及び前記ＳＦＮ番号の周期に基づいて、前記ホッピング周期を決定するように構成されているホッピング周期決定部とを具備し、前記参照信号系列割当部は、前記ホッピングパターン及び前記系列シフトパターンに基づいて前記所定物理チャネルにおけるスロット単位で割り当てられている複数の信号系列によって参照信号系列を生成するように構成されていることを要旨とする。
【発明の効果】
【００１０】
以上説明したように、本発明によれば、複雑なセル設計を行うことなく参照信号系列を割り当てた場合であっても、セル間の干渉を低減することができる移動通信システム、無線基地局及び移動局を提供することができる。
【図面の簡単な説明】
【００１１】
【図１】本発明の第１の実施形態に係る移動通信システムの全体構成図である。
【図２】本発明の第１の実施形態に係る移動通信システムで用いられる「Ｇｒｏｕｐ  ｈｏｐｐｉｎｇ」について説明するための図である。
【図３】本発明の第１の実施形態に係る移動通信システムで用いられる「Ｇｒｏｕｐ  ｈｏｐｐｉｎｇ」について説明するための図である。
【図４】本発明の第１の実施形態に係る移動通信システムで用いられる「Ｇｒｏｕｐ  ｈｏｐｐｉｎｇ」について説明するための図である。
【図５】本発明の第１の実施形態に係る移動通信システムにおける無線基地局及び移動局の機能ブロック図である。
【発明を実施するための形態】
【００１２】
（本発明の第１の実施形態に係る移動通信システム）
図１乃至図８を参照して、本発明の第１の実施形態に係る移動通信システムについて説明する。
【００１３】
本発明の第１の実施形態に係る移動通信システムでは、無線基地局ｅＮＢと移動局ＵＥとの間で、ＬＴＥ方式の無線通信が行われるように構成されている。
【００１４】
図１に示すように、移動局ＵＥは、上りリンクにおいて、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）を介して、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）に対する送達確認情報（ＡＣＫ/ＮＡＣＫ）や、下りリンクにおける受信品質（ＣＱＩ：Ｃｈａｎｎｅｌ  Ｑｕａｌｉｔｙ  Ｉｎｄｉｃａｔｏｒ）等の制御信号を送信するように構成されている。
【００１５】
また、移動局ＵＥは、上りリンクにおいて、復調用参照信号（ＤＲＳ：Ｄｅｍｏｄｕｌａｔｉｏｎ  Ｒｅｆｅｒｅｎｃｅ  Ｓｉｇｎａｌ）や、サウンディング参照信号（ＳＲＳ：Ｓｏｕｎｄｉｎｇ  Ｒｅｆｅｒｅｎｃｅ  Ｓｉｇｎａｌ）等を送信するように構成されている。
【００１６】
ここで、復調用参照信号は、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）及びＰＵＣＣＨに時間多重されて送信されるように構成されている物理信号である。
【００１７】
また、サウンディング参照信号は、上りリンクにおける受信品質の測定及び無線基地局ｅＮＢと移動局ＵＥとの間の送信タイミングの測定等に用いられるように構成されており、ＰＵＳＣＨ及びＰＵＣＣＨとは独立して周期的に送信されるように構成されている。
【００１８】
本実施形態に係る移動通信システムでは、上りリンクの所定物理チャネル（例えば、ＰＵＣＣＨ）又は所定物理信号（例えば、復調用参照信号やＳＲＳ）の少なくとも１つに対して、ホッピング周期で繰り返し用いられる参照信号系列を割り当てるように構成されている。
【００１９】
また、将来的にＰＵＳＣＨに対してもホッピング周期で繰り返し用いられる参照信号系列が割り当てられる場合には、本発明を適用することが可能となる。
【００２０】
すなわち、本実施形態に係る移動通信システムでは、無線基地局ｅＮＢ及び移動局ＵＥが、上りリンクの所定物理チャネル又は所定物理信号の少なくとも１つに対して、かかる参照信号系列を割り当てて使用するように構成されている。
【００２１】
具体的には、本実施形態に係る移動通信システムでは、上述の非特許文献１によって規定されている「Ｇｒｏｕｐ  Ｈｏｐｐｉｎｇ」が用いられている。
【００２２】
ここで、参照信号系列は、ホッピングパターン及び系列シフトパターンに基づいて所定チャネルにおけるスロット単位で割り当てられている複数の信号系列によって構成されている。
【００２３】
例えば、「Ｇｒｏｕｐ  Ｈｏｐｐｉｎｇ」が用いられている移動通信システムでは、図２に示すように、１７個のホッピングパターン及び３０個の系列シフトパターンに基づいて、５０４個の擬似的な参照信号系列を生成することができる。
【００２４】
そのため、スロットごとに割り当て可能な信号系列の種類は、３０種類しか存在しないが、ホッピング周期全体を見れば、異なるホッピングパターンを用いることによって、擬似的に、参照信号系列の数を増やすことができる。
【００２５】
また、ホッピングパターン及び系列シフトパターンの組み合わせは、セルの識別情報（セルＩＤ）に関連付けられている。ここで、セルＩＤは、物理セルＩＤ（ＰＣＩ：Ｐｈｙｓｉｃａｌ  Ｃｅｌｌ  ＩＤ）である。
【００２６】
すなわち、本実施形態に係る移動通信システムでは、「Ｇｒｏｕｐ  Ｈｏｐｐｉｎｇ」を用いることによって、５０４個定義されているセルＩＤの各々に対して、異なる参照信号系列を割り当てることができる。
【００２７】
図３に、「Ｇｒｏｕｐ  Ｈｏｐｐｉｎｇ」が用いられている移動通信システムで生成される参照信号系列の一例について説明する。図３の例では、ホッピング周期は、１０ｍｓ（２０スロット）であるものとする。
【００２８】
図３の例では、ホッピングパターン＃０＝［０，１，２，３，４，５，６，７，８，９，１０，１１，１２，１３，１４，１５，１６，１７，１８，１９］であり、ホッピングパターン＃１＝［１，６，２，７，３，８，４，９，０，５，１２，１６，１１，１７，１３，１８，１４，１９，１０，１５］である。
【００２９】
ここで、各ホッピングパターンを構成する要素は、上述の３０種類の信号系列（例えば、ＣＡＺＡＣ系列）の１つを特定する系列番号である。
【００３０】
具体的には、セルＩＤ＝０では、ホッピングパターン＃０及び系列シフトパターン＃０が関連付けられているため、セルＩＤ＃０によって特定されるセルにおいて所定物理チャネル及び所定物理信号に対して割り当てられる参照信号系列のパターンは、［０，１，２，３，４，５，６，７，８，９，１０，１１，１２，１３，１４，１５，１６，１７，１８，１９］となる。
【００３１】
また、セルＩＤ＝１では、ホッピングパターン＃０及び系列シフトパターン＃１が関連付けられているため、セルＩＤ＃１によって特定されるセルにおいて所定物理チャネル及び所定物理信号に対して割り当てられる参照信号系列のパターンは、［１，２，３，４，５，６，７，８，９，１０，１１，１２，１３，１４，１５，１６，１７，１８，１９，２０］となる。
【００３２】
また、セルＩＤ＝３０では、ホッピングパターン＃１及び系列シフトパターン＃０が関連付けられているため、セルＩＤ＃３０によって特定されるセルにおいて所定物理チャネル及び所定物理信号に対して割り当てられる参照信号系列のパターンは、［１，６，２，７，３，８，４，９，０，５，１２，１６，１１，１７，１３，１８，１４，１９，１０，１５］となる。
【００３３】
さらに、セルＩＤ＝３１では、ホッピングパターン＃１及び系列シフトパターン＃１が関連付けられているため、セルＩＤ＃３１によって特定されるセルにおいて所定物理チャネル及び所定物理信号に対して割り当てられる参照信号系列のパターンは、［２，７，３，８，４，９，５，１０，１，６，１３，１７，１２，１８，１４，１９，１５，２０，１１，１６］となる。
【００３４】
ここで、セルＩＤ＃１によって特定されるセルとセルＩＤ＃３０によって特定されるセルとでは、最初のタイミングで、共に系列番号が「＃１」である信号系列が用いられるため、衝突するが、それ以降のタイミングでは、ホッピングパターンが異なるため、衝突を回避している。
【００３５】
ただし、上述のように、ホッピング周期を「１０ｍｓ（２０スロット）」とした場合には、図４に示すように、セル＃Ｘとセル＃Ｙとの間で、一度、参照信号系列を構成する信号系列同士の衝突が発生すると、ホッピング周期である「１０ｍｓ」ごとに、必ず信号系列同士の衝突が発生してしまうという問題点が起こり得る。
【００３６】
ここで、セル間で同期が取れている場合、セル設計や送信タイミング調整によって、かかる衝突の影響を抑制することは可能であるが、かかる衝突を完全に回避することは困難である。
【００３７】
なお、セル間で同期が取れていない場合、隣接セルにおける送信タイミングが分からないため、かかる衝突の送信タイミング調整による回避は不可能である。
【００３８】
以下、復調用参照信号、ＳＲＳ及びＰＵＣＣＨのそれぞれに割り当てられている参照信号系列について、かかる問題点の影響について検討する。
【００３９】
第１に、ＰＵＳＣＨに多重されている復調用参照信号について検討する。
【００４０】
復調用参照信号がＰＵＳＣＨに多重されている場合を考える。この場合、ＰＵＳＣＨと復調用参照信号は常に同一の送信タイミングで送信される。「Ｄｙｎａｍｉｃ  Ｓｃｈｅｄｕｌｉｎｇ」が適用されている場合、ＰＵＳＣＨの初送タイミングは、ｅＮＢのスケジューリング処理によって決定されるが、基本的には送信機会の割り当てに特に周期性が無いため、一旦、上述の衝突が発生した場合であっても、上述のように、かかる衝突が必ず繰り返されるという可能性は低い。
【００４１】
また、「Ｄｙｎａｍｉｃ  Ｓｃｈｅｄｕｌｉｎｇ」が適用されている場合、ＰＵＳＣＨの再送タイミングは、初送タイミングから「Ｒｏｕｎｄ  Ｔｒｉｐ  Ｄｅｌａｙ（＝８ｍｓ）」だけ経過した後のタイミングと決まっているため、ＰＵＳＣＨに時間多重されている復調用参照信号系列が、初送時にセル間で上述の衝突が発生した場合であっても、再送のＰＵＳＣＨと時間多重される復調用参照信号系列は前述のホッピングパターンによりセル間で異なるため、再送時においては、上述のように、かかる衝突が必ず繰り返されるという可能性は低い。
【００４２】
一方、「Ｓｅｍｉ-ｐｅｒｓｉｓｔｅｎｔ  Ｓｃｈｅｄｕｌｉｎｇ」が適用されている場合、復調用参照信号の初送タイミング及び再送タイミングは、例えば２０ｍｓ周期のように一定周期で繰り返されるため、一旦、上述の衝突が発生すると、上述のように、かかる衝突が必ず繰り返されることになる。
【００４３】
かかる場合には、無線基地局ｅＮＢでは、隣接セルからの干渉信号も自セルの希望波信号として受信されてしまうため、自セルのチャネル状態を正しく測定することが困難になり、チャネル推定精度が劣化に起因してＰＵＳＣＨの誤り率が劣化してしまう。
【００４４】
第２に、ＳＲＳについて検討する。
【００４５】
本実施形態に係る移動通信システムでは、ＳＲＳの送信タイミングの周期は、２ｍｓ、５ｍｓ、１０ｍｓ、２０ｍｓ、４０ｍｓ、８０ｍｓ、１６０ｍｓ、３２０ｍｓの中から選択されるように構成されている。
【００４６】
したがって、移動局ＵＥの多重数やチャネル変動追従性の観点から、１０ｍｓや２０ｍｓを選択した場合には、図４の例と同様に、一旦、上述の衝突が発生すると、上述のように、かかる衝突が必ず繰り返されることになる。
【００４７】
かかる場合には、無線基地局ｅＮＢでは、隣接セルからの干渉信号も自セルの希望波信号として受信されてしまうため、伝搬路の品質を正しく測定することが困難になり、上りリンク共有データチャネルのスケジューリング処理や適応変調処理等の制御に悪影響を与え、また、無線基地局ｅＮＢと移動局ＵＥとの間の送信タイミングの測定も正しく行うことが困難となり、ＵＥの送信タイミング制御を適切に行うことができず、システム性能が劣化してしまう。
【００４８】
第３に、ＰＵＣＣＨについて検討する。
【００４９】
上りリンク制御情報（例えば、ＣＱＩ等）は、ＰＵＣＣＨに割り当てられている参照信号系列および参照信号系列をサイクリックシフトした系列を用いて移動局間の符号多重を行うことにより無線基地局ｅＮＢへと送信される。
【００５０】
本実施形態に係る移動通信システムでは、ＰＵＣＣＨを介してＣＱＩが送信されるタイミングの周期は、２ｍｓ、５ｍｓ、１０ｍｓ、２０ｍｓ、４０ｍｓ、８０ｍｓ、１６０ｍｓの中から選択されるように構成されている。
【００５１】
したがって、ＳＲＳの場合と同様に、移動局ＵＥの多重数やチャネル変動追従性の観点から、１０ｍｓや２０ｍｓを選択した場合には、一旦、上述の衝突が発生すると、上述のように、かかる衝突が必ず繰り返されることになる。
【００５２】
かかる場合には、無線基地局ｅＮＢでは、隣接セルからの干渉信号である同一系列を用いたＰＵＣＣＨも自セルの希望波信号として受信されてしまうため、隣接セルからのＰＵＣＣＨが干渉により、正しくＣＱＩを復調することが困難になり、下りリンクにおけるスケジューリング処理や適応変調処理等の制御に悪影響を与え、システム性能が劣化してしまう。
【００５３】
また、ＰＵＣＣＨも復調用参照信号を時間多重して送信しているため、「Ｄｙｎａｍｉｃ  Ｓｃｈｅｄｕｌｉｎｇ」が適用されている場合のＰＵＳＣＨと時間多重されている復調用参照信号の場合と同様に、一旦、上述の衝突が発生すると、上述のように、かかる衝突が必ず繰り返されることになる。
【００５４】
かかる場合には、移動局ＵＥは、隣接セルからの干渉信号も自セルの希望波信号として受信されてしまうため、自セルのチャネル状態を正しく測定することが困難になり、チャネル推定精度が劣化に起因して、正しくＣＱＩを復調することが困難になり、上述と同様に下りリンクにおけるスケジューリング処理や適応変調処理等の制御に悪影響を与え、システム性能が劣化してしまう。
【００５５】
したがって、かかる問題を解決するために、本実施形態に係る移動通信システムでは、適用する「Ｇｒｏｕｐ  Ｈｏｐｐｉｎｇ」に対して、以下のような改良を加えることが好ましい。
【００５６】
特に、「Ｓｅｍｉ-ｐｅｒｓｉｓｔｅｎｔ  Ｓｃｈｅｄｕｌｉｎｇ」が適用されている場合の復調用参照信号やＳＲＳやＰＵＣＣＨに対して割り当てる参照信号系列については、かかる改良された「Ｇｒｏｕｐ  Ｈｏｐｐｉｎｇ」を用いて算出することが好ましい。
【００５７】
図５に示すように、本実施形態に係る移動通信システムにおける無線基地局ｅＮＢ及び移動局ＵＥは、ホッピングパターン決定部１１と、系列シフトパターン決定部１２と、ホッピング周期決定部１３と、参照信号系列割当部１４とを具備している。
【００５８】
具体的には、本実施形態に係る移動通信システムでは、ホッピング周期決定部１３が、スロット番号の周期及びＳＦＮ（Ｓｙｓｔｅｍ  Ｆｒａｍｅ  Ｎｕｍｂｅｒ）番号の周期に基づいて、上述のホッピング周期を決定するように構成されている。
【００５９】
本実施形態に係る移動通信システムにおいて、スロット番号の周期は「２０（＃０〜＃１９）」であり、ＳＦＮ番号の周期は「１０２４（＃０〜＃１０２３）」である。
【００６０】
例えば、参照信号系列割当部１４が、以下の（式１）によって、各所定物理チャネル及び所定物理信号においてスロット単位で割り当てられる信号系列（参照信号系列を構成する信号系列）の系列番号ｕを決定するように構成されていてもよい。
【００６１】
【数１】
2010171467.tif 000003
【００６２】
ここで、ｃ（ｉ）は、「０」又は「１」のバイナリ値であり、ランダム系列Ｃ（スクランブルコード）を構成する各要素であり、ｃ（０）〜ｃ（１６３８３９）が存在し得る。
【００６３】
ここで、かかるランダム系列Ｃの生成方法は、３ＧＰＰのＴＳ３６.２１１の７.２に規定されている。例えば、乱数の種である「ｃ_ｉｎｉｔ」の値を３１ビットの二進数に変換したものを、シフトレジスタの初期値とすることによって、かかるランダム系列Ｃを生成することができる。したがって、「ｃ_ｉｎｉｔ」の値が異なれば、生成されるランダム系列Ｃも異なる。
【００６４】
ここで、「ｃ_ｉｎｉｔ」の値は、
【００６５】
【数１Ａ】
2010171467.tif 000004
【００６６】
のように、セルＩＤにより一意に決定されるように構成されており、セルＩＤの値によって１７個のホッピングパターンのいずれかが決定される。
【００６７】
かかるスクランブルコードは、例えば、ＰＤＳＣＨやＰＵＳＣＨ等の物理チャネルにも使用されているが、それぞれ「ｃ_ｉｎｉｔ」の値が異なるため、独立な系列となっている。
【００６８】
また、「Ｇｒｏｕｐ  Ｈｏｐｐｉｎｇ」が適用されるか否かについては、報知情報によって通知されるように構成されている。
【００６９】
なお、上述の（式１）に示すように、ホッピングパターン決定部１１が、所定物理チャネル（ＰＵＣＣＨ）又は所定物理信号（復調用参照信号やＳＲＳ）におけるスロット番号ｎｓ及びＳＦＮ番号ｎｆに基づいて、ホッピングパターンｆｇｈ（ｎｓ）を決定するように構成されている。
【００７０】
また、上述の（式１）に示すように、系列シフトパターン決定部１２が、所定物理チャネル（ＰＵＣＣＨ）又は所定物理信号（復調用参照信号やＳＲＳ）が設定されているセルの識別情報（セルＩＤ）に基づいて、系列シフトパターン
【００７１】
【数１Ｂ】
2010171467.tif 000005
【００７２】
を決定するように構成されている。
【００７３】
ここで、「Δｓｓ」を用いることによって、各ＰＵＳＣＨに対して、意図的に系列シフトパターンを変更することができる。ここで、Δｓｓは、報知情報によって通知されるように構成されている。
【００７４】
また、参照信号系列割当部１４が、以下の（式２）によって、各所定物理チャネル及び所定物理信号においてスロット単位で割り当てられる信号系列（参照信号系列を構成する信号系列）の系列番号ｕを決定するように構成されていてもよい。
【００７５】
【数２】
2010171467.tif 000006
【００７６】
ここで、「Ｘ」は、ＳＦＮ番号の周期の約数（例えば、「５１２」等）であってもよい。
【００７７】
なお、上述の（式２）に示すように、ホッピングパターン決定部１１が、所定物理チャネル（ＰＵＣＣＨ）又は所定物理信号（復調用参照信号やＳＲＳ）におけるスロット番号ｎｓ及びＳＦＮ番号ｎｆに基づいて、ホッピングパターンｆｇｈ（ｎｓ）を決定するように構成されている。
【００７８】
また、上述の（式２）に示すように、系列シフトパターン決定部１２が、所定物理チャネル（ＰＵＣＣＨ）又は所定物理信号（復調用参照信号やＳＲＳ）が設定されているセルの識別情報（セルＩＤ）に基づいて、系列シフトパターン
【００７９】
【数２Ａ】
2010171467.tif 000007
【００８０】
を決定するように構成されている。
【００８１】
さらに、参照信号系列割当部１４が、以下の（式３）によって、各所定物理チャネル及び所定物理信号においてスロット単位で割り当てられる信号系列（参照信号系列を構成する信号系列）の系列番号ｕを決定するように構成されていてもよい。
【００８２】
【数３】
2010171467.tif 000008
【００８３】
ここで、「Ｙ」は、スロット番号の周期「２０」に対して素である数（例えば、「１８」や「１９」や「２１」等）である。
【００８４】
なお、上述の（式３）に示すように、ホッピングパターン決定部１１が、所定物理チャネル（ＰＵＣＣＨ）又は所定物理信号（復調用参照信号やＳＲＳ）におけるスロット番号ｎｓ及びＳＦＮ番号ｎｆに基づいて、ホッピングパターンｆｇｈ（ｎｓ）を決定するように構成されている。
【００８５】
また、上述の（式３）に示すように、系列シフトパターン決定部１２が、所定物理チャネル（ＰＵＣＣＨ）又は所定物理信号（復調用参照信号やＳＲＳ）が設定されているセルの識別情報（セルＩＤ）に基づいて、系列シフトパターン
【００８６】
【数３Ａ】
2010171467.tif 000009
【００８７】
を決定するように構成されている。
【００８８】
なお、上記実施形態においては、ホッピング周期決定部１３が、スロット番号の周期及びＳＦＮ番号の周期に基づいて、上述のホッピング周期を決定するように構成されていることを前提としていたが、ＳＦＮ番号が不明である場合には、ホッピング周期決定部１３は、必ずしもＳＦＮ番号に基づいて、上述のホッピング周期を決定する必要はない。
【００８９】
すなわち、参照信号系列割当部１４が、以下の（式４）によって、各所定物理チャネル及び所定物理信号においてスロット単位で割り当てられる信号系列（参照信号系列を構成する信号系列）の系列番号ｕを決定するように、ホッピング周期決定部１３が、スロット番号のみに基づいて、上述のホッピング周期を決定してもよい。
【００９０】
【数４】
2010171467.tif 000010
【００９１】
なお、上述の（式４）に示すように、ホッピングパターン決定部１１が、所定物理チャネル（ＰＵＣＣＨ）又は所定物理信号（復調用参照信号やＳＲＳ）におけるスロット番号ｎｓに基づいて、ホッピングパターンｆｇｈ（ｎｓ）を決定するように構成されている。
【００９２】
また、上述の（式４）に示すように、系列シフトパターン決定部１２が、所定物理チャネル（ＰＵＣＣＨ）又は所定物理信号（復調用参照信号やＳＲＳ）が設定されているセルの識別情報（セルＩＤ）に基づいて、系列シフトパターン
【００９３】
【数４Ａ】
2010171467.tif 000011
【００９４】
を決定するように構成されている。
【００９５】
例えば、移動局ＵＥが、セル間ハンドオーバを行う場合に、ハンドオーバ先のＳＦＮ番号が、未だ取得されていない状態では、参照信号系列割当部１４は、スロット番号のみに依存する（式４）に基づいて、各所定物理チャネル及び所定物理信号においてスロット単位で割り当てられる信号系列（参照信号系列を構成する信号系列）の系列番号ｕを決定し、ハンドオーバ完了後等に、ＳＦＮ番号が取得されてからは、上述のＳＦＮ番号に依存する式（式１）により得られるホッピングパターンに基づいて、各所定物理チャネル及び所定物理信号においてスロット単位で割り当てられる信号系列（参照信号系列を構成する信号系列）の系列番号ｕを決定してもよい。
【００９６】
上述の例では、２種類の式から得られるホッピング周期及びホッピングパターンを適用することを考慮しているが、３種類以上の式から得られるホッピング周期及びホッピングパターンが適用されてもよい。
【００９７】
上述のように複数の式から得られるホッピング周期及びホッピングパターンが適用される場合には、参照信号系列を適用する所定物理チャネル（ＰＵＣＣＨ）又は所定物理信号（復調用参照信号やＳＲＳ）をグループ分けし、各グループに対して、異なる式から得られるホッピング周期及びホッピングパターンが適用されてもよい。
【００９８】
例えば、２つの式から得られるホッピング周期及びホッピングパターンが適用される場合に、参照信号系列を適用する所定物理チャネル（ＰＵＣＣＨ）又は所定物理信号（復調用参照信号やＳＲＳ）を２つのグループに分類し、それぞれのグループに対して、異なる式から得られるホッピング周期及びホッピングパターンが適用されてもよい。なお、上述の例においては、２つの式が適用される場合の例を示したが、３つ以上の式が適用されてもよい。
【００９９】
例えば、「Ｄｙｎａｍｉｃ  ｓｃｈｅｄｕｌｉｎｇ」が適用されるＰＵＳＣＨの復調用参照信号に対しては、（式４）によって得られるホッピングパターンが適用され、その他の「Ｓｅｍｉ-Ｐｅｒｓｉｓｔｅｎｔ  ｓｃｈｅｄｕｌｉｎｇ」が適用されるＰＵＳＣＨの復調用参照信号やＰＵＣＣＨやＳＲＳに対しては、（式１）によって得られるホッピングパターンが適用されてもよい。
【０１００】
また、セル間ハンドオーバ等によりハンドオーバ先のＳＦＮ番号が未取得の場合には、（式４）によって得られるホッピングパターンが適用され、セル間ハンドオーバ完了後等にＳＦＮ番号が取得された後には、（式１）によって得られるホッピングパターンが適用されてもよい。
【０１０１】
かかるＳＦＮ番号の取得の有無によるホッピングパターンの切り替え処理は、参照信号系列を適用する全ての所定物理チャネル又は所定物理信号に対して適用されてもよいし、一部の所定物理チャネル又は所定物理信号にのみ適用され、その他の所定物理チャネル又は所定物理信号に対しては、ＳＦＮ番号の取得の有無に関わらず１種類の式から得られるホッピング周期及びホッピングパターンが適用されてもよい。
【０１０２】
より具体的には、ランダムアクセス手順におけるメッセージ３に対してのみ、（式４）によって得られるホッピングパターンが適用され、ランダムアクセス手順におけるメッセージ３以外の上りリンクの信号に対しては、（式１）によって得られるホッピングパターンが適用されてもよい。
【０１０３】
或いは、ランダムアクセス手順におけるメッセージ３及びメッセージ５に対してのみ、（式４）によって得られるホッピングパターンが適用され、ランダムアクセス手順におけるメッセージ３及びメッセージ５以外の上りリンクの信号に対しては、（式１）によって得られるホッピングパターンが適用されてもよい。
【０１０４】
なお、上述したメッセージ３とそれ以外、或いは、メッセージ３及びメッセージ５とそれ以外といった場合分けは、あくまで一例であり、上記以外の組み合わせで、（式４）によって得られるホッピングパターンが適用される上りリンクの信号と、（式１）によって得られるホッピングパターンが適用される上りリンクの信号とを分類してもよい。
【０１０５】
本発明の第１の実施形態に係る移動通信システムによれば、「Ｇｒｏｕｐ  Ｈｏｐｐｉｎｇ」を適用することによって、複雑なセル設計を行うことなく参照信号系列を割り当てた場合であっても、セル間の干渉を低減することができる。
【０１０６】
また、本発明の第１の実施形態に係る移動通信システムによれば、上述の（式１）に基づいて、各所定物理チャネル及び所定物理信号においてスロット単位で割り当てられる信号系列を決定することによって、ホッピング周期を「１０.２４ｓ」まで長くすることができ、セル間で、かかる信号系列の衝突が生じた場合に再度必ず衝突が起こるまでの間隔を長くすることにより、かかる信号系列の衝突が頻繁に発生するという事態を回避することができる。
【０１０７】
また、本発明の第１の実施形態に係る移動通信システムによれば、上述の（式２）に基づいて、各所定物理チャネル及び所定物理信号においてスロット単位で割り当てられる信号系列を決定することによって、上述の（式１）を用いた場合と比べて、ホッピングパターン保持用メモリの負荷を低減させつつ、セル間で、かかる信号系列の衝突が頻繁に発生するという事態を回避することができる。
【０１０８】
また、本発明の第１の実施形態に係る移動通信システムによれば、上述の（式３）に基づいて、各所定物理チャネル及び所定物理信号においてスロット単位で割り当てられる信号系列を決定することによって、所定物理チャネル及び所定物理信号の送信タイミングの周期とホッピング周期とが互いに素の関係となり、セル間で、かかる信号系列の衝突が頻繁に発生するという事態を回避することができる。
【０１０９】
また、本発明の第１の実施形態に係る移動通信システムによれば、ホッピング周期を「２０ｍｓ」に近い周期（例えば、「１８ｍｓ」や「１９ｍｓ」や「２１ｍｓ」等）とすることで、既存システムからの変更のインパクトを低減することができる。
【０１１０】
また、本発明の第１の実施形態に係わる移動通信システムによれば、セル間ハンドオーバ等を行う際に、ＳＦＮ番号が未取得である場合には、ＳＦＮ番号を必要としないホッピングパターンを適用し、ハンドオーバ完了後等にＳＦＮ番号が取得された場合に、ＳＦＮ番号に依存するホッピングパターンを適用することで、かかる信号系列の衝突が頻繁に発生するという事態を回避することができる。
【０１１１】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【０１１２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【０１１４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１５】
ｅＮＢ…無線基地局
ＵＥ…移動局
１１…ホッピングパターン決定部
１２…系列シフトパターン決定部
１３…ホッピング周期決定部
１４…参照信号系列割当部
【図１】
2010171467.tif 000021
【図２】
2010171467.tif 000022
【図３】
2010171467.tif 000023
【図４】
2010171467.tif 000024
【図５】
2010171467.tif 000025